(57)【要約】      （修正有）【課題】シャッター装置、ロールスクリーン、ブラインド等、開閉体を巻取軸から繰出して閉鎖方向へ導くようにした開閉装置を容易に修復できる開閉装置およびその修復方法を提供する。【解決手段】空間を仕切るようにして閉鎖動作する開閉体１０と、開閉体１０を閉鎖方向へ案内する既設ガイドレール２０と、開閉体１０をその開放方向側で巻き取ったり繰出したりする巻取軸３２と、巻取軸３２の端部側を支持する既設支持ブラケット３４と、巻取軸３２及び既設支持ブラケット３４を内在する収納ケース３１とを備えた開閉装置を修復するようにした開閉装置の修復方法において、巻取軸３２を取り外す工程と、既設支持ブラケット３４の内側に修復用支持ブラケットを設ける工程と、修復用支持ブラケットに巻取軸を装着する工程とを含む。【選択図】図２
2020200685.tif 000002
【特許請求の範囲】
【請求項１】
空間を仕切るようにして閉鎖動作する開閉体と、前記開閉体を閉鎖方向へ案内する既設ガイドレールと、前記開閉体をその開放方向側で巻き取ったり繰出したりする巻取軸と、前記巻取軸の端部側を支持する既設支持ブラケットと、前記巻取軸及び前記既設支持ブラケットを内在する収納ケースとを備えた開閉装置を修復するようにした開閉装置の修復方法において、
前記巻取軸を取り外す工程と、前記既設支持ブラケットの内側に修復用支持ブラケットを設ける工程と、前記修復用支持ブラケットに巻取軸を装着する工程とを含むことを特徴とする開閉装置の修復方法。
【請求項２】
前記修復用支持ブラケットに巻取軸を装着する前記工程では、前記修復用支持ブラケットに対し既設の巻取軸に換えて修復用の巻取軸を装着することを特徴とする請求項１記載の開閉装置の修復方法。
【請求項３】
前記修復用支持ブラケットに巻取軸を装着する前記工程では、先に取り外した既設の巻取軸を前記修復用支持ブラケットに装着することを特徴とする請求項１記載の開閉装置の修復方法。
【請求項４】
前記修復用支持ブラケットは、巻取軸の一端側を支持する一方の支持部と、同巻取軸の他端側を支持する他方の支持部と、これら一方及び他方の支持部を連結して一体化する連結部とを有することを特徴とする請求項１〜３何れか１項記載の開閉装置の修復方法。
【請求項５】
前記収納ケースは、前記修復用支持ブラケットを通過可能な開口部と、該開口部を開閉可能に塞ぐ開閉カバーとを備え、
前記既設支持ブラケットの内側に修復用支持ブラケットを設ける前記工程では、前記開閉カバーを開放してした状態で前記開口部に前記修復用支持ブラケットを通過させることを特徴とする請求項１〜４何れか１項記載の開閉装置の修復方法。
【請求項６】
前記開閉体を幅寸法の狭い修復用開閉体に交換する工程を含むことを特徴とする請求項１〜５何れか１項記載の開閉装置の修復方法。
【請求項７】
前記既設ガイドレールに対し、前記修復用開閉体の幅方向端部を閉鎖方向へ案内する修復用ガイドレールを設ける工程を含むことを特徴とする請求項６記載の開閉装置の修復方法。
【請求項８】
空間を仕切るようにして閉鎖動作する開閉体と、前記開閉体をその開放方向側で巻き取ったり繰出したりする巻取軸と、前記巻取軸を内在する収納ケースとを備えた開閉装置において、
前記収納ケース内に、前記巻取軸の端部側を支持可能に形成された既設支持ブラケットと、この既設ブラケットの内側に位置する修復用支持ブラケットとが設けられ、
前記巻取軸の端部側が、前記修復用支持ブラケットによって支持されていることを特徴とする開閉装置。
【発明の詳細な説明】
【技術分野】
【０００１】
本発明は、オーバーヘッドドアを含むシャッター装置、ロールスクリーン、ブラインド等、開閉体を巻取軸から繰出して閉鎖方向へ導くようにした開閉装置、特にシャッター装置として好適な開閉装置を修復するようにした開閉装置の修復方法及び開閉装置に関するものである。
【背景技術】
【０００２】
従来、この種の発明には、例えば特許文献１に記載されるように、空間を仕切るようにして閉鎖動作する開閉体と、前記開閉体を閉鎖方向へ案内するガイドレールと、前記開閉体をその開放方向側から繰出す巻取軸と、前記巻取軸を収納する収納ケースと、閉鎖された前記開閉体を閉鎖方向側で受ける下枠とを備えた窓用シャッター装置がある。
このような窓用シャッター装置では、ガイドレールや、収納ケース、下枠等、外部に露出する外装部材について、その一部分が、建物の壁材の裏側に埋め込まれ、シール材の充填等により壁材との隙間が水密に塞がれている。
【先行技術文献】
【特許文献】
【０００３】
【特許文献１】特開２０１４−３１６３５号公報（図２参照）
【発明の概要】
【発明が解決しようとする課題】
【０００４】
ところで、前記従来技術において、巻取軸は支持ブラケットを介して収納ケースに対し一体的に支持されている。その支持部分が、長期使用や塩害等に起因して損傷した場合、支持ブラケットの交換を要する。しかしながら、支持ブラケットと一体的な収納ケースの後端側が建物の壁材の裏側に埋め込まれていると、その壁材を破壊しシール材を取り除く必要がある。さらに、収納ケース及び支持ブラケットを新規のものに交換した後に、壁材及びシール材の施工が必要になる。このため、その作業時間及び材料コスト等の増大を招くおそれがある。
【課題を解決するための手段】
【０００５】
このような課題に鑑みて、本発明は、以下の構成を具備するものである。
空間を仕切るようにして閉鎖動作する開閉体と、前記開閉体を閉鎖方向へ案内する既設ガイドレールと、前記開閉体をその開放方向側で巻き取ったり繰出したりする巻取軸と、前記巻取軸の端部側を支持する既設支持ブラケットと、前記巻取軸及び前記既設支持ブラケットを内在する収納ケースとを備えた開閉装置を修復するようにした開閉装置の修復方法において、前記巻取軸を取り外す工程と、前記既設支持ブラケットの内側に修復用支持ブラケットを設ける工程と、前記修復用支持ブラケットに巻取軸を装着する工程とを含むことを特徴とする開閉装置の修復方法。
【発明の効果】
【０００６】
本発明は、以上説明したように構成されているので、支持ブラケットを容易に修復することができる。
【図面の簡単な説明】
【０００７】
【図１】本発明に係る修復方法により修復された開閉装置の一例を示す斜視図である。
【図２】修復前の開閉装置を示す斜視図である。
【図３】既設支持ブラケットの一例を示し、（ａ）は開閉装置の前方側から視た図、（ｂ）は開閉装置の側方側から視た図である。
【図４】修復前の開閉装置について、開閉カバーを外した状態を示す縦断面図である。
【図５】修復前の開閉装置について、開閉体を外した状態を示す縦断面図である。
【図６】修復前の開閉装置について、既設ガイドレールと開閉体の関係を示す横断面図である。
【図７】修復前の開閉装置について、収納ケースから主な内部部品を外した状態を示す縦断面図である。
【図８】修復途中の開閉装置の縦断面図であり、収納ケース内に巻取軸及び修復用支持ブラケットを挿入し、さらに既設ガイドレールに修復用ガイドレールを装着しようとしている状態を示す。
【図９】修復用支持ブラケットに修復用巻取軸を装着しようとしている状態を示す斜視図である。
【図１０】既設ガイドレールに修復用ガイドレール及びカバー部材を装着しようとしている状態を示す横断面図である。
【図１１】既設ガイドレールに装着された修復用ガイドレールに、修復用開閉体を嵌め合わせた状態を示す横断面図である。
【図１２】修復後の開閉装置を示す縦断面図である。
【図１３】本発明に係る修復方法により修復された開閉装置の他例を示す斜視図である。
【発明を実施するための形態】
【０００８】
本実施の形態では、以下の特徴を開示している。
第一の特徴は、空間を仕切るようにして閉鎖動作する開閉体と、前記開閉体を閉鎖方向へ案内する既設ガイドレールと、前記開閉体をその開放方向側で巻き取ったり繰出したりする巻取軸と、前記巻取軸の端部側を支持する既設支持ブラケットと、前記巻取軸及び前記既設支持ブラケットを内在する収納ケースとを備えた開閉装置を修復するようにした開閉装置の修復方法において、前記巻取軸を取り外す工程と、前記既設支持ブラケットの内側に修復用支持ブラケットを設ける工程と、前記修復用支持ブラケットに巻取軸を装着する工程とを含む（図１〜図９、図１３参照）。
【０００９】
第二の特徴は、前記修復用支持ブラケットに巻取軸を装着する前記工程では、前記修復用支持ブラケットに対し既設の巻取軸に換えて修復用の巻取軸を装着する（図９参照）。
【００１０】
第三の特徴として、前記修復用支持ブラケットに巻取軸を装着する前記工程では、先に取り外した既設の巻取軸を前記修復用支持ブラケットに装着する。
【００１１】
第四の特徴として、前記修復用支持ブラケットは、巻取軸の一端側を支持する一方の支持部と、同巻取軸の他端側を支持する他方の支持部と、これら一方及び他方の支持部を連結して一体化する連結部とを有する（図９参照）。
【００１２】
第五の特徴として、前記収納ケースは、前記修復用支持ブラケットを通過可能な開口部と、該開口部を開閉可能に塞ぐ開閉カバーとを備え、前記既設支持ブラケットの内側に修復用支持ブラケットを設ける前記工程では、前記開閉カバーを開放してした状態で前記開口部に前記修復用支持ブラケットを通過させる（図８参照）。
【００１３】
第六の特徴は、前記開閉体を幅寸法の狭い修復用開閉体に交換する工程を含む（図１１参照）。
【００１４】
第七の特徴は、前記既設ガイドレールに対し、前記修復用開閉体の幅方向端部を閉鎖方向へ案内する修復用ガイドレールを設ける工程を含む（図１０参照）。
【００１５】
第八の特徴は、空間を仕切るようにして閉鎖動作する開閉体と、前記開閉体をその開放方向側で巻き取ったり繰出したりする巻取軸と、前記巻取軸を内在する収納ケースとを備えた開閉装置において、前記収納ケース内に、前記巻取軸の端部側を支持可能に形成された既設支持ブラケットと、この既設ブラケットの内側に位置する修復用支持ブラケットとが設けられ、前記巻取軸の端部側が、前記修復用支持ブラケットによって支持されている（図１、図９、図１２及び図１３参照）。
【００１６】
＜第一の実施態様＞
次に、上記特徴を有する具体的な実施態様について、図面に基づいて詳細に説明する。以下の説明において、「開閉体厚さ方向」とは、閉鎖状態の開閉体の厚さ方向を意味する。また、「開閉体幅方向」とは、開閉体の開閉方向と略直交する方向であって、開閉体の厚さ方向ではない方向を意味する。また、「開閉体開閉方向」とは、開閉体が空間を仕切ったり開放したりするためにスライドする方向を意味する。
また、以下の説明では、開閉体厚さ方向において、屋外側を前、屋内側を後と表現する場合がある。
【００１７】
図１は、本実施の形態の開閉装置の修復方法の概略を示している。
本実施の形態の修復方法は、既設の巻取軸３２を取り外す工程、既設支持ブラケット３４（図２参照）の内側に修復用支持ブラケット３５（図１及び図９参照）を設ける工程、修復用支持ブラケット３５に対し既存の巻取軸３２に換えて修復用の巻取軸３２’を装着する工程等により、開閉装置の巻取軸の支持構造を修復する。
以下、この修復方法及び各部の構造を詳細に説明する。
【００１８】
修復前の開閉装置１（図２参照）は、空間を仕切るように下方へ閉鎖動作する開閉体１０と、開閉体１０の幅方向の端部を凹状に囲んで閉鎖方向へ案内する左右の既設ガイドレール２０，２０と、開閉体１０をその開放方向側で収納する収納部３０と、全閉状態の開閉体１０の閉鎖方向端部に対向する下枠４０とを具備する。
この開閉装置１は、構造物開口部の窓サッシＳの屋外側に位置するように、構造物壁面に固定されて窓用シャッター装置を構成する。
【００１９】
図１中、符号Ｗ１、Ｗ２は、横方向へスライドして開閉する窓である。
符号ｄ２は既設ガイドレール２０に形成された損傷である。なお、損傷ｄ２は、例えば強風時の飛来物等との接触により形成されたものであり、この損傷の具体例としては、凹みや、欠け、摩耗、塗装剥がれ等が挙げられる。
【００２０】
開閉体１０は、横長略矩形状の磁性金属板を曲げ加工してなるスラット１１ａを、上下に隣接するスラット１１ａ，１１ａ間で回動するように複数連接することで、開閉体本体１１を構成し、この開閉体本体１１の下側の端部に、下枠４０に当接させるための座板部材１２（水切り又は幅木と呼称される場合もある。）を、開閉体幅方向にわたって接続している。
この開閉体１０の幅方向の端部には、必要に応じて、開閉体厚み方向へ突出してガイドレール内から抜けないように係合する抜止め部材１３（図６参照）が設けられる。
【００２１】
既設ガイドレール２０は、開閉体１０の幅方向の端部側を開閉方向へ案内する部材である。各既設ガイドレール２０は、収納部３０と下枠４０との間にわたって略鉛直状に設けられる。
より詳細に説明すれば、この既設ガイドレール２０は、図６に横断面形状を示すように、開閉体１０の幅方向の端部を凹状に囲んで上下方向へ案内するガイド本体部２１と、このガイド本体部２１の後方側（図６の上方側）に設けられて不動部位（例えば、構造物壁面やサッシ等）に止着される止着柱部２２とを一体的に有し、上下方向へ連続している。
【００２２】
収納部３０は、収納ケース３１内に、巻取軸３２の端部側を支持する既設支持ブラケット３４や、開閉体１０をその開方方向側で巻き取ったり繰り出したりする既設の巻取軸３２（図２参照）、この巻取軸３２を電動で回転させる開閉機３３、開閉機３３の回転力を巻取軸３２へ伝達する動力伝達ユニット３６等を収納している。
【００２３】
収納ケース３１は、巻取軸３２の上側を開閉体幅方向へわたって覆う上側カバー３１ａと、上側カバー３１ａの下側に着脱可能に止着された開閉カバー３１ｂと、これら上側カバー３１ａ及び開閉カバー３１ｂの幅方向の両端部をそれぞれ覆う側部カバー３１ｃとから横長略箱状に形成され（図２参照）、その下端面の開口に、開閉体１０を遊挿する。
【００２４】
上側カバー３１ａは、開閉体幅方向へ連続する縦断面略逆Ｌ字状の部材であり（図４参照）、後述する開閉カバー３１ｂが外された際に下方側に開口部Ａを形成する。
この上側カバー３１ａの天壁部の後側の端部には、上方へ折り曲げられた形状の止着片部３１ａ１が設けられる。また、上側カバー３１ａの前壁部の下端側には、後側へ折り曲げられた凹片部３１ａ２が設けられる。
【００２５】
止着片部３１ａ１は、外壁ｘ１の裏側の構造物壁面ｘ２（例えば下地部材や骨材等の表面）に止着されている。
外壁ｘ１の端部と上側カバー３１ａ上面の間は、シール材等により水密処理が施されている。
【００２６】
上側カバー３１ａの下側の開口部Ａは、後述する巻取軸３２，３２’、開閉機３３、修復用支持ブラケット３５、動力伝達ユニット３６等を通過可能な大きさに形成される。
【００２７】
また、開閉カバー３１ｂは、開口部Ａを塞ぐように開閉体幅方向へ連続する縦断面略Ｌ字状に形成される（図４参照）。
この開閉カバー３１ｂの前壁部の上端側には、後側へ折り曲げられて、上側カバー３１ａの凹片部３１ａ２に重ね合わせられる凹片部３１ｂ１が設けられる。そして、同前壁部の下端側には、後側へ曲げられた下壁部３１ｂ２が設けられる。また、この下壁部３１ｂ２よりも後側には、開閉体１０を遊挿するための開口が確保される。
【００２８】
既設支持ブラケット３４は、収納ケース３１の側部カバー３１ｃ内面に沿う略板状の部材である。
この既設支持ブラケット３４は、図３に示すように、側部カバー３１ｃの内面に沿う平板状の本体板部３４ａと、この本体板部３４ａの上端側、前端側、下端側で開閉体幅方向へ突出する止着片部３４ｂと、同本体板部３４ａの後端側で上下方向にわたって開閉体幅方向へ突出する止着片部３４ｃと、本体板部３４ａの中央側で既設の巻取軸３２の端部側を支持する支持片３４ｄとを一体的に具備する。この既設支持ブラケット３４は、例えば、板金材料をプレス加工することにより形成される。
【００２９】
各止着片部３４ｂ，３４ｃは、本体板部３４ａ端部側を断面Ｌ字状に曲げ加工することで、本体板部３４ａと一体に形成される。
上端側、前端側、下端側の止着片部３４ｂには、上側カバー３１ａ及び開閉カバー３１ｂが、止着具（例えば、ネジやボルト等）によって止着される。
また後端側の止着片部３４ｃは、構造物壁面ｘ２に対し止着具（例えば、ネジやボルト等）によって止着される。図３中の符号３４ｃ１は、止着具を挿通するための貫通孔である。
【００３０】
支持片３４ｄは、例えば板金材料を曲げ加工することで、上方を開口した側面視凹状に形成され、その凹状部分により、巻取軸３２の端部、又は巻取軸３２の端部に同軸状に接続された支持アダプター３２ｄを受ける。
この支持片３４ｄは、既設支持ブラケット３４の本体板部３４ａに対し、止着具（例えば、ネジやボルト等）によって着脱可能に止着される。
【００３１】
なお、支持片３４ｄの他例としては、本体板部３４ａに対し、溶接等によって着脱不能に固定された態様とすることも可能である。この場合、後述する修復方法において、支持片３４ｄは、工具等により切断されるようにしてもよいし、装着されたままとすることも可能である。
【００３２】
巻取軸３２は、長尺状の固定軸３２ａと、固定軸３２ａの外周部に回転自在に支持された回転体３２ｂと、固定軸３２ａの周囲に配設されるとともに固定軸３２ａに対し回転体３２ｂを巻き取り方向へ回転させるコイルスプリング３２ｃとを具備し、回転体３２ｂの周囲に開閉体１０の上端側を止着している。
【００３３】
固定軸３２ａは、例えば金属製パイプ材からなり、その端部側が、支持アダプター３２ｄを介して、既設支持ブラケット３４の支持片３４ｄに回転不能に固定される。
支持アダプター３２ｄは、一端側を既設支持ブラケット３４の凹部に嵌合可能な直方体状に形成するとともに、他端側を固定軸３２ａの端部側に挿入可能な軸状に形成した部材であり、固定軸３２ａの端部側に、止着具（例えばネジやボルト等）によって、回転不能に固定される。
なお、他例としては、支持アダプター３２ｄを省き、固定軸３２ａの端部側を、直接、既設支持ブラケット３４に嵌合させることも可能である。
【００３４】
回転体３２ｂは、図示例によれば、固定軸３２ａに対しベアリング等を介して回動自在に支持された複数の支持円盤と、これら支持円盤の外周側に軸方向へわたるように固定された複数の連結棒とから構成される。この回転体３２ｂの他例としては、固定軸３２ａの周囲を回転するように設けられた円筒状部材や、籠状部材とすることが可能である。
【００３５】
コイルスプリング３２ｃは、その一端側が固定軸３２ａに止着されるとともに他端側が回転体３２ｂに止着されることで、固定軸３２ａに対し回転体３２ｂを巻取り方向へ付勢している。
【００３６】
開閉機３３は、電動モータの回転力を、複数のギヤを介して適度な回転数及び回転トルクに調整し、出力軸によって出力するように構成される。前記出力軸は、動力伝達ユニット３６に係合している。
この開閉機３３は、図示しないブラケット等を介して、収納ケース３１内の不動部位に支持されている。
【００３７】
動力伝達ユニット３６は、開閉機３３の出力軸の回転力を回転体３２ｂへ伝達する装置であり、例えば、チェーン、スプロケット、及びこれらを覆うケース等を組み合わせた機構とすればよい。
【００３８】
次に上記構成の開閉装置１（図２参照）について、既設支持ブラケット３４が、長期使用や塩害等に起因して損傷したものと過程し、その損傷部分を修復する工程（手順）を詳細に説明する。
【００３９】
先ず、最初の工程では、図４に示すように、収納部３０から開閉カバー３１ｂが取り外され、収納部３０の前面壁の下部から同収納部３０の下端部にわたって、開閉体幅方向へ連続を開口部Ａが確保される。
【００４０】
次に、既設の巻取軸３２によって開閉体１０が巻き取られて既設ガイドレール２０の上方へ引き抜かれる。引き抜かれた開閉体１０は、巻取軸３２から巻き戻され、既設ガイドレール２０の外側へ繰り出される（図５及び図６参照）。
そして、開閉体１０の上端部が、既設の巻取軸３２の回転体３２ｂから外される。
【００４１】
次の工程では、図７に示すように、収納部３０内における主な部材が、開口部Ａを介して、外部に取り出される。
詳細に説明すれば、既設の巻取軸３２及び支持アダプター３２ｄが支持片３４ｄから外されて外部に取り出され、開閉機３３及び動力伝達ユニット３６が収納部３０内の不動部位から外されて外部に取り出され、さらに、支持片３４ｄが既設支持ブラケット３４の本体板部３４ａから外され外部に取り出される。
なお、前記取り出しの順序は、適宜変更が可能である。
【００４２】
次の工程では、図８に示すように、開閉カバー３１ｂを開放した状態で、開口部Ａに修復用支持ブラケット３５と修復用の巻取軸３２’を通過させるようにして、これら修復用支持ブラケット３５及び巻取軸３２’が、収納部３０内に装着される。
【００４３】
修復用の巻取軸３２’は、固定軸３２ａ’及びチューブラモータ３２ｂ’の周囲で回転体３２ｃ’が駆動回転するように構成したものである。
【００４４】
固定軸３２ａ’は、開閉体幅方向の片半部側（図９によれば右半部側）に対応する長さの円筒状の部材であり、例えば金属製パイプ材から形成される。
この固定軸３２ａ’の周囲には、固定軸３２ａ’に対し回転体３２ｃ’を巻き取り方向へ付勢するようにコイルスプリング３２ｄ’が装着される。
この固定軸３２ａ’の一端側は後述する修復用支持ブラケット３５によって回転不能に支持される。
【００４５】
チューブラモータ３２ｂ’は、筒状のモータケース３２ｂ１’に内在する電動モータの回転力を、複数のギヤを介して適度な回転数及び回転トルクに調整し、モータケース３２ｂ１’と同芯状の出力軸３２ｂ２’によって出力するように構成される。
このチューブラモータ３２ｂ’は、固定軸３２ａ’の他半部側（図９によれば左半部側）に同軸状に配設され、その出力軸３２ｂ２’が修復用支持ブラケット３５によって回転不能に支持される。
【００４６】
回転体３２ｃ’は、固定軸３２ａ’及びモータケース３２ｂ１’に対しベアリング等を介して回動自在に支持された複数の支持円盤と、これら支持円盤の外周側に軸方向へわたるように固定された複数の連結棒とを具備し、前記連結棒及び複数の支持円盤により、内在する固定軸３２ａ’及びモータケース３２ｂ１’を一体化している。
なお、この回転体３２ｃ’の他例としては、固定軸３２ａ’及びモータケース３２ｂ１’の周囲を回転するように設けられた円筒状部材や、籠状部材とすることが可能である。
【００４７】
修復用支持ブラケット３５は、修復用の巻取軸３２’の一端側（詳細には固定軸３２ａ’の端部側）を支持する一方の支持部３５ａと、同巻取軸３２’の他端側（詳細には出力軸３２ｂ２’の端部側）を支持する他方の支持部３５ｂと、これら一方及び他方の支持部３５ａ，３５ｂを連結して一体化する連結部３５ｃとを有する。
この修復用支持ブラケット３５は、例えば、板金材料の曲げ加工により、平面視コ字状に形成される（図９参照）。
【００４８】
支持部３５ａは、収納ケース３１の側部カバー３１ｃに沿う支持板部３５ａ２と、この支持板部３５ａ２の内側に固定された支持片３５ａ１を有する。
支持部３５ｂは、支持部３５ａと左右対称に構成され、支持板部３５ｂ２及び支持片３５ｂ１を有する。
【００４９】
支持片３５ａ１，３５ｂ１は、既設支持ブラケット３４の支持片３４ｄと同様に構成され、上方を開口した側面視凹状に形成される。
支持片３５ａ１，３５ｂ１は、それぞれ、支持板部３５ａ２，３５ｂ２に対し、溶接等によって不動に固定される。
【００５０】
連結部３５ｃは、支持片３５ａ１の後端部と、支持板部３５ｂ２の後端部とを連結する矩形板状に形成される。この連結部３５ｃには、適宜に間隔を置いて、複数の止着孔３５ｃ１が設けられる。
【００５１】
上記構成の修復用支持ブラケット３５は、収納部３０内に挿入された後、収納部３０内の不動部位に固定される（図８参照）。
具体的に説明すれば、連結部３５ｃが、止着孔３５ｃ１に挿通される止着具（例えば、ネジやボルト等）によって、構造物壁面ｘ２、又は構造物壁面ｘ２と一体の骨材（例えば、梁や柱等の構造材を含む）に止着固定される。
【００５２】
また、収納部３０内に挿入された修復用の巻取軸３２’は、図９に示すように、固定軸３２ａ’の一端側が、修復用支持ブラケット３５の支持片３５ａ１に凹凸状に嵌め合わせられ、止着具（例えばネジやボルト等）によって回転不能に固定され、同様に、チューブラモータ３２ｂ’の出力軸３２ｂ２’も、支持片３５ｂ１に凹凸状に嵌め合わせられ止着具によって回転不能に固定される。
なお、図示例では、前記したように、固定軸３２ａ’と出力軸３２ｂ２’を、それぞれ、直接、支持片３５ａ１，３５ｂ１に止着固定したが、他例としては、上記支持アダプター３２ｄのような中間部材を介して止着固定されるようにしてもよい。
【００５３】
次の工程では、修復用ガイドレール７０が、既設ガイドレール２０の内側面（図１０によれば、ガイド本体部２１の右端面）に沿って上下方向へわたって装着される。
【００５４】
修復用ガイドレール７０は、既設ガイドレール２０のガイド本体部２１と略同形状であって修復用開閉体１０’を開閉方向へ案内するガイド本体部７１と、このガイド本体部７１の既設ガイドレール２０側の端部から突出する止着片部７２とを一体に有する。
【００５５】
止着片部７２は、上下方向へ連続する略板状に形成され、ガイド本体部２１の開口からガイド本体部２１内へ挿入され、止着具７３（例えば、ネジやボルト、リベット等）によって（図１１参照）、ガイド本体部２１の内面に止着される。
この止着片部７２の他例としては、上下方向において部分的に設けられた態様とすることも可能である。
【００５６】
次の工程では、左側と右側の各々において、既設ガイドレール２０及び修復用ガイドレール７０の前方側の端面と側方側の端面とを、上下方向にわたって、カバー部材８０によって覆う（図１０参照）。
カバー部材８０は、既設ガイドレール２０及び修復用ガイドレール７０の屋外側の露出面を覆う横断面略Ｌ字状の部材であり、上下方向へ連続している。このカバー部材８０は、既設ガイドレール２０及び修復用ガイドレール７０に対し、リベット等の止着具７４（図１１参照）によって止着される。
このカバー部材８０の後端部８０ａは、構造物の外壁ｘ１よりも屋外側に位置する。したがって、カバー部材８０の装着作業に伴って構造物の外壁ｘ１を外す必要はない。
【００５７】
なお、修復用ガイドレール７０を装着する前記工程は、前記のように修復用支持ブラケット３５及び修復用の巻取軸３２’を装着した後とするのが好ましいが、他例としては、修復用支持ブラケット３５及び修復用の巻取軸３２’を装着する前とすることも可能である。
【００５８】
次に、既存の開閉体１０に換えて、幅寸法の狭い修復用開閉体１０’が、修復用の巻取軸３２’に吊るされる。
【００５９】
修復用開閉体１０’は、上記した既設の開閉体１０と略同構造の開閉体であり、横方向の間隔が狭くなった左右の修復用ガイドレール７０，７０に嵌り合うように、横幅寸法（詳細には開閉体本体１１の横幅寸法）が、開閉体１０よりも小さく設定されている。
この修復用開閉体１０’は、既存の開閉体１０を取り外す上記手順と逆の手順により修復用の巻取軸３２’に吊るされ、左右の修復用ガイドレール７０，７０に嵌め合わせられる（図１１参照）。
【００６０】
すなわち、修復用開閉体１０’は、その上端部が、修復用の巻取軸３２’の回転体３２ｃ’に止着されて、一旦、修復用の巻取軸３２’に巻き取られる。そして、修復用開閉体１０’の下端側が左右の修復用ガイドレール７０，７０に対し上方側から嵌め合わせられる。
【００６１】
次の工程では、図１２に示すように、開閉カバー３１ｂにより開口部Ａを塞ぐようにして、開閉カバー３１ｂが上側カバー３１ａに装着され、修復された開閉装置１’が完成する（図１参照）。
【００６２】
修復後の開閉装置１’は、収納部３０内に、既設の巻取軸３２の端部側を支持していた既設支持ブラケット３４と、この既設支持ブラケット３４の内側に位置する修復用支持ブラケット３５と、既設の巻取軸３２に置換された修復用の巻取軸３２’とを備え、修復用の巻取軸３２’の端部側が、修復用支持ブラケット３５によって支持されている。
【００６３】
よって、上述した開閉装置の修復方法、及びこの修復方法によって修復された開閉装置によれば、既設支持ブラケット３４が損傷した場合でも、この既設支持ブラケット３４を取り外すことなく、修復用支持ブラケット３５を用いて容易に修復することができる。
この修復は、開閉装置１の前方側から開閉カバー３１ｂを外すことにより形成される開口部Ａを介して行われる。このため、外壁ｘ１を壊して収納ケース３１全体を構造物壁面ｘ２から外す作業や、外壁ｘ１を再施工する作業等を要することなく、その作業性が良好である。
【００６４】
また、既設ガイドレール２０が変形等の損傷ｄ２により機能を損ねてしまった場合でも、この既設ガイドレール２０を交換することなく修復用ガイドレール７０を装着して、この修復用ガイドレール７０によってガイドレールとしての機能を回復することができる。
【００６５】
＜第二の実施態様＞
次に、他の実施態様について説明する。なお、以下に示す実施態様は、上記開閉装置１の一部を変更したものであるため、主にその変更部分について詳述し、重複する詳細説明を省略する。
【００６６】
図１３は、第二の実施態様の修復方法の概略を示している。
修復後の開閉装置２’は、開閉装置１’における修復用支持ブラケット３５を、左右の修復用支持ブラケット３８，３９に置換したものである。
【００６７】
この修復方法では、既設支持ブラケット３４の内側に修復用支持ブラケット３５を設ける工程に換えて、既設支持ブラケット３４の内側に左右の修復用支持ブラケット３８，３９を設ける工程を有する。
【００６８】
修復用支持ブラケット３８，３９は、上記修復用支持ブラケット３５から、連結部３５ｃを省いて、二部材としている。
【００６９】
一方の修復用支持ブラケット３８は、上記修復用支持ブラケット３５の支持板部３５ｂ２と略同形状の支持板３８ｂ２と、この支持板３８ｂ２の後側で開閉体幅方向へ突出する止着片部３８ｂ３と、支持板３８ｂ２の中央寄りに固定された支持片３８ｂ１とを一体に有する。
上記構成の修復用支持ブラケット３８は、止着片部３８ｂ３に挿通される止着具（例えば、ネジやボルト等）によって、構造物壁面ｘ２、又は構造物壁面ｘ２と一体の骨材（例えば、梁や柱等の構造材を含む）に止着固定される。
【００７０】
他方の修復用支持ブラケット３９は、一方の修復用支持ブラケット３８と左右対称に構成され、同様にして、構造物壁面ｘ２、又は構造物壁面ｘ２と一体の骨材に止着固定される。
【００７１】
よって、図１３に示す開閉装置の修復方法によれば、図１に示した修復方法と略同様に、既設支持ブラケット３４が損傷した場合でも、この既設支持ブラケット３４を取り外すことなく、左右の修復用支持ブラケット３８，３９を用いて容易に修復することができる。
また、この修復方法では、左右の既設支持ブラケット３４のうち、その一方のみを修復用支持ブラケット３８（又は３９）により修復することも可能である。
【００７２】
＜変形例＞
上記実施の態様では、既設の巻取軸３２を修復用の巻取軸３２’に交換するようにしたが、他例としては、先に取り外した既設の巻取軸３２を、交換することなく、修復用支持ブラケット３５に装着することも可能である。
この場合、修復用支持ブラケット３５の支持片３５ａ１，３５ｂ１間が、修復前よりも狭くなるので、既設の巻取軸３２は、例えば、支持アダプター３２ｄを省いた状態で、直接、支持片３５ａ１に止着すればよい。
【００７３】
また、上記実施態様によれば、特に好ましい態様として、収納ケース３１の前面の下部側と下面にわたって開口部Ａが形成されるようにしたが、他例としては、収納ケース３１の下面のみに、巻取軸３２，３２’や修復用支持ブラケット３５を挿通可能な開口部を設けた態様とすることも可能である。
さらに、他例としては、収納ケース３１の上部側に修復用支持ブラケット３５を通過可能な開口部を設け、この開口部を開閉カバーにより開閉可能に塞いだ態様とすることも可能である。
【００７４】
また、上記実施態様によれば、開閉カバー３１ｂを上側カバー３１ａに対し着脱可能に構成したが、他例としては、開閉カバー３１ｂを上側カバー３１ａに対しヒンジ部を支点にして回動するように設けてもよい。
【００７５】
また、上記実施態様によれば、修復前後の巻取軸３２，３２’を何れも電動回転式巻取軸としたが、他例としては、修復前の巻取軸を手動回転式、修復後の巻取軸を電動回転式とすることも可能であり、また、その逆に、修復前の巻取軸を電動回転式、修復後の巻取軸を手動回転式とすることも可能である。
【００７６】
また、上記実施態様によれば、既設支持ブラケット３４の支持片３４ｄを外して、修復用支持ブラケット３５が設けられるようにしたが、他例としては、既設支持ブラケット３４の支持片３４ｄを外さずに、その支持片３４ｄの内側（巻取軸側）に修復用支持ブラケット３５が設けられるようにすることも可能である。
【００７７】
なお、本発明は上述した実施態様に限定されず、本発明の要旨を変更しない範囲で適宜変更可能である。
【符号の説明】
【００７８】
１０：開閉体（既設）
１０’：修復用開閉体
２０：既設ガイドレール
３０：収納部
３１：収納ケース
３１ａ：上側カバー
３１ｂ：開閉カバー
３２：巻取軸（既設）
３２’：巻取軸（修復用）
３４：既設支持ブラケット
３５：修復用支持ブラケット
３５ａ：支持部
３５ａ１，３５ｂ１：支持片
３５ａ２，３５ｂ２：支持板部
３５ｃ：連結部
３８，３９：修復用支持ブラケット
Ａ：開口部
【図１】
2020200685.tif 000003
【図２】
2020200685.tif 000004
【図３】
2020200685.tif 000005
【図４】
2020200685.tif 000006
【図５】
2020200685.tif 000007
【図６】
2020200685.tif 000008
【図７】
2020200685.tif 000009
【図８】
2020200685.tif 000010
【図９】
2020200685.tif 000011
【図１０】
2020200685.tif 000012
【図１１】
2020200685.tif 000013
【図１２】
2020200685.tif 000014
【図１３】
2020200685.tif 000015